(57)【要約】【課題】電子基板を搭載するベース部と、前記ベース部に取り付けられるカバー部とから構成される電子式メーターにおいて、前記カバー部を前記ベース部に取り付けて固定する作業を簡略化できる電子式ガスメータを提供すること。【解決手段】カバー部４３の内面に形成されたボス部が、ベース部４２のボス孔４２１に挿入・固定されることで、カバー部４３がベース部４２に固定される。【選択図】図２
2010032301.tif 000002
【特許請求の範囲】
【請求項１】
電子基板を搭載するベース部と、当該電子基板及びベース部を覆うように、前記ベース部に取り付けられるカバー部とを備えたガスメータにおいて、
前記ベース部の周縁部には、前記カバー部の内面に形成されたボス部が挿入・固定されるボス孔が形成され、当該ボス孔の内周面に、挿入される前記ボス部によって押しつぶされる突起部が形成され、
前記ベース部の前記ボス孔の形成部内側に、前記電子基板を格納するための箱形周壁が形成され、
前記カバー部の内面には、前記ボス孔に対応して前記ベース部方向に延伸するボス部と、前記箱形周壁に接する凸壁が形成され、
前記突起部が前記ボス部によって押しつぶされることで、前記ボス部が前記ボス孔に固定され、前記凸壁が前記箱形周壁の端面に圧接されることで、前記電子基板が密閉されることを特徴とするガスメータ。
【請求項２】
前記箱形周壁の端面には、防水用パッキンがはめ込まれるパッキン溝が形成され、
前記パッキン溝にはめ込まれた防水用パッキンが前記凸壁により押圧されることで、前記電子基板が密閉されることを特徴とする請求項１に記載のガスメータ。
【請求項３】
前記カバー部には、前記ベース部の外周部を囲うように周壁が延設されていることを特徴とする請求項１又は２に記載のガスメータ。
【発明の詳細な説明】
【技術分野】
【０００１】
本発明は、ガスの使用量を計量する電子式ガスメータに係わり、特に、電子式ガスメータのカバー部の取付構造に関する。
【背景技術】
【０００２】
ガスの使用量を計量する電子式ガスメータは、主に、ガス流量を計量する計量センサや感震センサ等を備える本体部と、計量センサによって計量されたガス流量を表示するカウンタ表示部と、本体部のセンサに基づいてガス遮断処理などを制御する電子制御部とから構成される。
【０００３】
そして、前記電子制御部は、ガス遮断処理などを制御するマイコンを備える電子基板を搭載するベース部と、当該電子基板を覆い、前記ベース部に取り付けられるカバー部とから構成される。
従来では、前記カバー部を前記ベース部に取り付けて固定する場合、ネジを使用していた。
【０００４】
このような固定手段としてネジを使用するガスメータの一例として、特許文献１には、箱形の本体ケースと、周辺機器との電気接続に利用される端子台と、前記端子台を覆う端子台カバーとを備えたガスメータにおいて、ネジを使用して、前記端子台カバーを前記端子台に取り付けて固定するガスメータが開示されている。
【特許文献１】特開２００５−３４５３５２号公報
【発明の開示】
【発明が解決しようとする課題】
【０００５】
しかし、ネジを使用して上記の固定を行う作業は、ドライバー等の工具が必要であり煩雑である。また、部品点数が多くなり、作業工程が増加する。
【０００６】
本発明は、かかる実情に鑑みてなされたものであり、電子基板を搭載するベース部と、前記ベース部に取り付けられるカバー部とから構成されるガスメータにおいて、前記カバー部を前記ベース部に取り付けて固定する作業を簡略化できるガスメータを提供することを目的とする。
【課題を解決するための手段】
【０００７】
請求項１に記載の発明は、電子基板を搭載するベース部と、当該電子基板及びベース部を覆うように、前記ベース部に取り付けられるカバー部とを備えたガスメータにおいて、前記ベース部の周縁部には、前記カバー部の内面に形成されたボス部が挿入・固定されるボス孔が形成され、当該ボス孔の内周面に、挿入される前記ボス部によって押しつぶされる突起部が形成され、前記ベース部の前記ボス孔の形成部内側に、前記電子基板を格納するための箱形周壁が形成され、前記カバー部の内面には、前記ボス孔に対応して前記ベース部方向に延伸するボス部と、前記箱形周壁に接する凸壁が形成され、前記突起部が前記ボス部によって押しつぶされることで、前記ボス部が前記ボス孔に固定され、前記凸壁が前記箱形周壁の端面に圧接されることで、前記電子基板が密閉されることを特徴とするガスメータである。
【０００８】
請求項２に記載の発明は、請求項１に記載のガスメータにおいて、前記箱形周壁の端面には、防水用パッキンがはめ込まれるパッキン溝が形成され、前記パッキン溝にはめ込まれた防水用パッキンが前記凸壁により押圧されることで、前記電子基板が密閉されることを特徴とする。
【０００９】
請求項３に記載の発明は、請求項１又は２に記載のガスメータにおいて、前記カバー部には、前記ベース部の外周部を囲うように周壁が延設されていることを特徴とする。
【発明の効果】
【００１０】
本発明により、電子基板を搭載するベース部と、前記ベース部に取り付けられるカバー部とから構成されるガスメータにおいて、工具などを使用することなく、前記カバー部を前記ベース部に取り付けて固定することができ、製造工程を簡略化できる。
【発明を実施するための最良の形態】
【００１１】
図１は、本発明に係わる電子式のガスメータ１の外観斜視図である。
２は、ガスメータ１の本体部で、ガス流量を計量する計量センサ、感震センサ等を備えている。３は、カウンタ表示部で、計量センサによって計量されたガス流量を表示する。４は、電子制御部で、本体部２のセンサに基づいて、ガス遮断処理などを制御する。
【００１２】
図２は、ガスメータ１の電子制御部４の分解斜視図であり、４１は、ガス遮断処理などを制御するマイコンを備える電子基板、４２は、当該電子基板を搭載するベース部（ベース板）、４３は、電子基板４１をカバーし、ベース部４２に取り付けられるカバー部である。
【００１３】
４２１は、カバー部４３の内面に形成されたボス部（後述）が挿入されるボス孔で、前記ボス部がベース部４２のボス孔４２１に挿入・固定されることで、カバー部４３がベース部４２に固定される。ボス孔４２１は、図示のように、ベース部４２の周縁部に形成されている。
【００１４】
４２２は、電子基板４１に形成された嵌合孔４１１が嵌合する突起部で、当該突起部が電子基板の嵌合孔４１１に嵌合されることで、電子基板４１がベース部４２に搭載・固定される。
【００１５】
４２３は、電子基板４１を格納するための箱形周壁で、ボス孔４２１の形成部内側に形成されている。
【００１６】
なお、図２では、矢印Ｘ方向から俯瞰したボス孔４２１について説明したが、矢印Ｘ’方向にも同様なボス孔が形成され、また、当該形成されたボス孔に対応してカバー部４３にボス部（後述）が形成されている。
【００１７】
図３は、カバー部４３を図２の矢印Ｙ方向から見たカバー部４３の斜視図で、図４は、ベース部４２を図２の矢印Ｙ方向から見たベース部４２の斜視図である。
図３の４３１は、前述したカバー部４３に形成されたボス部で、ベース部４２のボス孔４２１に挿入される方向（図１では図面下方向）に向けて延伸している。前述のように、ボス部４３１がベース部４２のボス孔４２１（図４参照）に挿入・固定されることで、カバー部４３がベース部４２に固定される。
【００１８】
図３の４３２は、前述したカバー部４３に形成された凸壁で、図２の箱形周壁４２３に接する。
そして、凸壁４３２が箱形周壁４２３の端面に圧接されることで、電子基板４１が密閉される。
【００１９】
図５は、ベース部４２のボス孔４２１の詳細図である。
４２１ａは、ボス孔４２１の内周面４２１ｂに形成された突起部で、当該突起部がカバー部のボス部４３１に形成された先端部（後述）によって押しつぶされることで、カバー部４３のボス部４３１がベース部４２のボス孔４２１に固定される。また、ボス孔４２１の突起部４２１ａの飛び出し量を調整することで、カバー部４３がベース部４２に固定される際の固定力を調整することができる。
【００２０】
図６は、電子制御部４が組み立てられた状態におけるベース部４２のボス孔４２１付近の拡大断面図（図２の矢印Ｘ−Ｘ’）である。
図示のように、ボス部４３１の段差部４３１ａがボス孔４２１の縁部４２１ｃに当接するまで、ボス部４３１に形成された先端部４３１ｂがベース部４２のボス孔４２１に挿入されることにより、カバー部４３のボス部４３１がベース部４２のボス孔４２１に固定される。
【００２１】
また、電子基板４１に対する防水力を向上させるため、箱形周壁４２３の端面には、防水用パッキン５がはめ込まれるパッキン溝４２３ａが形成されている。パッキン溝４２３ａに対応してカバー部４３に形成された凸壁４３２が挿入される。凸壁４３２の挿入により防水用パッキン５が押圧されることで、電子基板４１が密閉される。
なお、突起部４２１ａの飛び出し量を調整することで防水用パッキン５を押圧する力も調整することができる。
【００２２】
カバー部４３には、ベース部４２の外周部を囲うように周壁４３ａが延設され、ベース部４２を保護している。
【図面の簡単な説明】
【００２３】
【図１】本発明に係わるガスメータの外観斜視図である。
【図２】ガスメータの電子制御部の分解斜視図である。
【図３】カバー部を図２の矢印Ｙ方向から見た斜視図である。
【図４】ベース部を図２の矢印Ｙ方向から見た斜視図である。
【図５】ボス孔の詳細図である。
【図６】電子制御部が組み立てられた状態におけるボス孔付近の拡大断面図である。
【符号の説明】
【００２４】
１…ガスメータ、２…本体部、３…カウンタ表示部、４…電子制御部、４１…電子基板、４１１…嵌合孔、４２…ベース部、４２１…ボス孔、４２１ａ…突起部、４２１ｂ…内周面、４２１ｃ…縁部、４２３…箱形周壁、４２３ａ…パッキン溝、４３…カバー部、４３ａ…周壁、４３１…ボス部、４３１ａ…段差部、４３１ｂ…先端部、４３２…凸壁、５…防水用パッキン。
【図１】
2010032301.tif 000003
【図２】
2010032301.tif 000004
【図３】
2010032301.tif 000005
【図４】
2010032301.tif 000006
【図５】
2010032301.tif 000007
【図６】
2010032301.tif 000008